(57)【要約】【課題】  本発明は、脱型後においてもコンクリートの養生期間が確保することができる型枠用コンクリート養生保持板を用いたコンクリート構造物の施工方法および型枠用コンクリート養生保持板を提供することを目的とするものである。【解決手段】  本発明は、一定の間隔を保持して設置される型枠パネル１の少なくとも一方の内面にコンクリート養生保持板３を仮止めする工程と、前記型枠パネル１内にコンクリートＡを打設し、養生する工程と、前記コンクリートの養生の途中でコンクリート養生保持板３を残した状態で型枠パネルを取り外す工程を備え、前記残置したコンクリート養生保持板３によってコンクリートの養生を継続させるものである。【選択図】        図２
2005113372.tif 000002
【特許請求の範囲】
【請求項１】
一定の間隔を保持して設置される型枠パネルの少なくとも一方の内面にコンクリート養生保持板を仮止めする工程と、
前記型枠パネル内にコンクリートを打設し、養生する工程と、
前記コンクリートの養生の途中でコンクリート養生保持板を残した状態で型枠パネルを取り外す工程を備え、
前記残置したコンクリート養生保持板によってコンクリートの養生を継続させる
ことを特徴とする型枠用コンクリート養生保持板を用いたコンクリート構造物の施工方法。
【請求項２】
前記コンクリート養生保持板が合成樹脂製フィルムより形成される
ことを特徴とする請求項１記載の型枠用コンクリート養生保持板を用いたコンクリート構造物の施工方法。
【請求項３】
前記コンクリート養生保持板が防水処理を施した紙製より形成される
ことを特徴とする請求項１記載の型枠用コンクリート養生保持板を用いたコンクリート構造物の施工方法。
【請求項４】
一定の間隔を保持して設置される型枠パネルの少なくとも一方の内面に仮止めされるコンクリート養生保持板において、
前記コンクリート養生保持板にセパレータが貫通するセパレータ挿通穴を備える
ことを特徴とする型枠用コンクリート養生保持板。
【請求項５】
前記コンクリート養生保持板が合成樹脂製フィルムより形成される
ことを特徴とする請求項４記載の型枠用コンクリート養生保持板。
【請求項６】
前記コンクリート養生保持板が防水処理を施した紙製より形成される
ことを特徴とする請求項４記載の型枠用コンクリート養生保持板。
【発明の詳細な説明】
【技術分野】
【０００１】
本発明は、型枠によるコンクリート構造体の施工方法および型枠に関する。詳しくは型枠の離型後にコンクリートの養生を継続させてコンクリート強度を高める型枠用コンクリート養生保持板を用いたコンクリート構造物の施工方法おおよび型枠用コンクリート養生保持板に係るものである。
【背景技術】
【０００２】
建物の側壁を構築するには、通常、型枠を使用してコンクリートを打設したのち、養生硬化する工法が採用されている。一般的には、この型枠をコンクリート硬化後に取り外すが、型枠に固着するコンクリートを除去するための工程が煩雑であり、また、型枠が痛み易いという問題がある。このかかる問題を解決するために、コンクリート成型用型枠に貼付するフィルムにおいて、該フィルムの片側表面に接着層が形成されてなり、該フィルムを接着層を介してステンレス板に接着することを特徴とする型枠用離型フィルム、該型枠用フィルムが貼付された型枠がある（例えば特許文献１参照。）。
【０００３】
また、コンクリート打設方法として、図９に示すように、合成樹脂製フィルム１０１の一面に感圧性接着剤層１０２を介して剥離紙が接着されたシートを使用して、そのシートの剥離紙を剥離した前記感圧性接着剤層１０２の面を堰板１０３の内面に貼着して成る型枠１０４を構成し、その型枠１０４の前記合成樹脂フィルム１０１の他の一面側にセメントコンクリート１０５を打設するものである（例えば特許文献２参照。）。
【０００４】
【特許文献１】特開２００１−１２３１３４号（要約書）
【特許文献２】特開平４−３０６３５７号（要約書、第１図）
【発明の開示】
【発明が解決しようとする課題】
【０００５】
前記型枠の内面に設けられるフィルムは、型枠内面に対して剥離可能な感圧性接着剤によって接着されることで、コンクリート硬化後の脱型時に、前記フィルムによって型枠とコンクリートの剥離性が良好となり、不要となったフィルムを取り剥がして、新しいフィルムを再度接着することにより型枠の繰り返し使用を可能とするものである。
【０００６】
一方型枠によるコンクリート構造物の施工においては、型枠内でコンクリートを十分に養生硬化する必要があり、コンクリートの強度を確保するために１週間ほどの養生期間が必要となるが、短期間での工期にあっては２、３日ほどで型枠を外しているのが現状である。
しかしながら型枠を早く外すことによりコンクリート内の水と石灰とが十分に化学反応を生起しない状態で硬化することにより設計上の強度を確保することができないことが多々ある。
【０００７】
さらに、冬季では石灰と水とが十分に化学反応を生起する前に水分が氷結する、あるいは夏季では石灰と、水とが十分に化学反応を生起する前に水分が蒸発することによりコンクリート強度を著しく低下させる問題がある。
【０００８】
また、型枠は脱型したのちに次の工程で転用されることが多く、そのために短い養生期間での施工が行なわれているのが実情であり、養生期間を十分に確保しようとすればするほど、多数の型枠が必要となる問題がある。
【０００９】
本発明は、以上の点に鑑みて創案されたものであって、脱型後においてもコンクリートの養生期間が確保することができる型枠用コンクリート養生保持板を用いたコンクリート構造物の施工方法および型枠用コンクリート養生保持板を提供することを目的とするものである。
【課題を解決するための手段】
【００１０】
上記の目的を達成するために、本発明に係る型枠用コンクリート養生保持板を用いたコンクリート構造物の施工方法は、一定の間隔を保持して設置される型枠パネルの少なくとも一方の内面にコンクリート養生保持板を仮止めする工程と、前記型枠パネル内にコンクリートを打設し、養生する工程と、前記コンクリートの養生の途中でコンクリート養生保持板を残した状態で型枠パネルを取り外す工程を備え、前記残置したコンクリート養生保持板によってコンクリートの養生を継続させることを特徴とする。
【００１１】
ここで、型枠パネルの内面にコンクリート養生保持板として防水性の合成樹脂フィルムを仮止めした状態で型枠パネル内へコンクリートへの打設を行い、通常行なわれている養生期間（約２、３日間）で、合成樹脂フィルムを養生途中のコンクリート壁面に残置した状態で型枠パネルのみを取り外すものである。従ってコンクリート壁面は合成樹脂フィルムに覆われることにより、型枠パネルと同様にコンクリート内の保水を維持し、石灰と水との十分な化学反応を継続させることが可能となり、一方取り外した型枠パネルの内面は直接にコンクリートに接していないために、そのままの状態で次の型枠構築に転用することが可能となる。
【００１２】
また、上記の目的を達成するために、本発明に係る型枠用コンクリート養生保持板は、一定の間隔を保持して設置される型枠パネルの少なくとも一方の内面に仮止めされるコンクリート養生保持板において、前記コンクリート養生保持板にセパレータが貫通するセパレータ挿通穴を備える。
【００１３】
ここで、前記コンクリート養生保持板は、例えば防水性を有する合成樹脂フィルムやその表面に防水処理を施した厚紙を使用する。そしてコンクリート養生保持板には、型枠パネルの間隔を保持するために取り付けられる各セパレータの取り付け位置と同位置上にセパレータ挿通穴が設けられた構成とするものであり、前記コンクリート養生保持板のセパレータ挿通穴にセパレータを挿通して型枠パネルの構築を行なうことにより型枠パネル内面への仮止めが可能となる。
【発明の効果】
【００１４】
以上の構成よりなる本発明の施工方法では、コンクリート養生保持板によって型枠パネルを取り外した場合であっても、コンクリート内の養生が型枠パネル内の環境と同様な状態で継続することが可能となり、コンクリート強度の高い構造物を得ることが可能となると共に、取り外した型枠パネルの内面は直接にコンクリートに接していないために、そのままの状態で次の型枠構築に転用することができ、作業効率が非常に向上するものである。
【００１５】
また、本発明の型枠用コンクリート養生保持板では、セパレータ位置にセパレータ挿通穴を設けることによって型枠パネルを組み立てる際に、型枠パネル内面に容易に型枠用コンクリート養生保持板の仮止めを行なうことが可能となる。
【発明を実施するための最良の形態】
【００１６】
以下、本発明の実施の形態を図面を参酌しながら説明し、本発明の理解に供する。
【００１７】
図１から図３は、本発明を適用した型枠用コンクリート養生保持板を用いたコンクリート構造物の施工方法の一例を説明するための端面説明図である。ここで示すように、セパレータ２によって一定間隔を保持して組み立てられる型枠パネル１の内面に、コンクリート養生保持板３をセパレータ２に挿通した状態で仮止めされる。
【００１８】
そしてコンクリート養生保持板３を型枠パネル１の内面に仮止めした状態で、コンクリートＡを型枠パネル１内へ打設する。そこで型枠パネル１内のコンクリートＡが固まった状態（約２、３日間）でコンクリート養生保持板３をコンクリートＡ面に残置した状態で型枠パネル１を取り外すものである。
【００１９】
この場合に型枠パネル１は、コンクリート養生保持板３を介してコンクリートＡと接していることからコンクリートＡからの離型が容易に行なえるものである。
【００２０】
次に取り外された型枠パネル１は、次の型枠パネルの構築工程で転用されることとなり、コンクリート養生保持板３によって覆設されたコンクリートＡは、型枠パネル内と略同様の環境下での養生（約１週間）が継続されることとなる。従ってコンクリートＡ内での水とセメントとの化学反応が十分に行なうことができ、コンクリート強度の高いコンクリート構造物４の構築が可能となる。
【００２１】
そして設計基準値となるコンクリート強度までの養生期間が経過した後に、コンクリート養生保持板３をコンクリート構築物４より取り剥がして施工完了とする。
【００２２】
また、図４から図６は、本発明を適用した型枠用コンクリート養生保持板を用いたコンクリート構造物の施工方法の他の例を説明するための端面説明図である。ここで示すように、発泡スチロール５の外表面に下地板６が接着された残置式型枠壁材７に対して型枠パネル１をセパレータ２によって一定間隔を保持して組み立てるものである。そこで型枠パネル１の内面に、コンクリート養生保持板３をセパレータ２に挿通した状態で仮止めされる。
【００２３】
なお、下地板とは壁紙や塗装をするための下地となるものであり、これには石綿板やケイカル板、あるいはプラスターボードや合成板など種々のものがある。
【００２４】
そしてコンクリート養生保持板３を型枠パネル１の内面に仮止めした状態で、コンクリートＡを残置式型枠壁材７と型枠パネル１間内へ打設する。そこで型枠パネル１内のコンクリートＡが固まった状態（約２、３日間）でコンクリート養生保持板３をコンクリートＡ面に残置した状態で型枠パネル１を取り外すものである。
【００２５】
この取り外された型枠パネル１は、次の型枠パネルの構築工程で転用されることとなり、コンクリート養生保持板３と残置式型枠壁材７とによって覆設されたコンクリートＡは、型枠内と略同様の環境下での養生（約１週間）が継続されることとなる。従ってコンクリートＡ内での水とセメントとの化学反応が十分に行なうことができ、コンクリート強度の高いコンクリート構造物４の構築が可能となる。
【００２６】
そして設計基準値となるコンクリート強度までの養生期間が経過した後に、コンクリート養生保持板３をコンクリート構築物４より取り剥がして施工完了とする。
【００２７】
前記コンクリート養生保持板３としては、防水性を有する合成樹脂製のフィルム、又は薄板、あるいはその表面に防水処理を施した紙を使用するものであるが、必ずしも合成樹脂製のフィルムおよび薄板、あるいは紙により形成される必要性は無く、軽量、かつ作業性に優れた防水性を有するものであれば、アルミニウム板、ステンレス板などの金属板や木製薄板などいかなるものであっても良い。
【００２８】
また、コンクリート養生保持板として合成樹脂フィルム、あるいは紙を使用する場合には、ロール状としたものを施工現場において型枠パネルの形状に合わせて切断することもでき、更にコンクリートの養生後には廃棄するなど使い捨て用として使用することもできる。
【００２９】
また、コンクリート養生保持板の型枠パネルへの仮止めは、必ずしもセパレータに挿通して仮止めされる必要性は無く、例えば型枠パネルとコンクリート養生保持板とを粘着テープ、あるいは画鋲などのピンによって仮止めするなど型枠パネルを取り外す際にコンクリート養生保持板と離型が容易に行なえるものであればいかなる仮止め方法であってもかまわない。
【００３０】
次に図７は、本発明を適用した型枠用コンクリート養生保持板の一例を示す平面説明図である。ここで示すコンクリート養生保持板３は、前記本発明を適用した型枠用コンクリート養生保持板を用いたコンクリート構造物の施工方法において詳述したように、合成樹脂製のフィルムおよび薄板、あるいはその表面に防水処理を施した紙を、型枠パネルの内面積に合わせて裁断するものである。
【００３１】
そして前記コンクリート養生保持板３に、型枠パネルに取り付けられるセパレータ位置にそれぞれセパレータ挿通穴８を開設するものである。従って図８に示すように、型枠パネル１に突設される各セパレータ２にコンクリート養生保持板３のセパレータ挿通穴８を差し入れた状態で型枠パネル１内面への仮止めを行なうものである。
【００３２】
なお、前記コンクリート養生保持板３としては、本発明を適用した型枠用コンクリート養生保持板を用いたコンクリート構造物の施工方法において詳述したように、前記防水性を有する合成樹脂製のフィルム、又は薄板、あるいはその表面に防水処理を施した紙を使用するものであるが、必ずしも合成樹脂製のフィルムおよび薄板、あるいは紙により形成される必要性は無く、軽量、かつ作業性に優れた防水性を有するものであれば、アルミニウム板、ステンレス板などの金属板や木製薄板などいかなるものであっても良い。
【００３３】
また、コンクリート養生保持板として合成樹脂フィルム、あるいは紙を使用する場合には、ロール状としたものを建築現場において型枠パネルの形状に合わせて切断することもでき、更にコンクリートの養生後には廃棄するなど使い捨て用として使用することもできる。また、合成樹脂薄板においてはコンクリート養生後においてコンクリートとの接触面を拭き取ることによって再度使用することが可能となる。
【００３４】
本発明の型枠用コンクリート養生保持板では、型枠パネル内での初期養生後において、型枠パネルを取り外した場合でもコンクリート養生保持板によってコンクリートが覆われているために、コンクリート内に残存する水分が、蒸発あるいは氷結するとがなく、センメントと水分とが十分に化学反応を生起させることになり、コンクリートの強度を高めるものである。
【図面の簡単な説明】
【００３５】
【図１】本発明を適用した型枠用コンクリート養生保持板を用いたコンクリート構造物の施工方法の一例を説明するための端面説明図である。
【図２】図２は、図１におけるコンクリート打設時の断面説明図である。
【図３】図３は、図１における施工終了時のコンクリートによる構築物の説明図である。
【図４】本発明を適用した型枠用コンクリート養生保持板を用いたコンクリート構造物の施工方法の他の例を説明するための端面説明図である。
【図５】図５は、図４におけるコンクリート打設時の断面説明図である。
【図６】図６は、図４における施工終了時のコンクリートによる構築物の説明図である。
【図７】本発明を適用した型枠用コンクリート養生保持板の一例を示す平面説明図である。
【図８】本発明を適用した型枠用コンクリート養生保持板の仮止めの一例を示す説明図である。
【図９】従来のコンクリート打設方法の一例を示す説明図である。
【符号の説明】
【００３６】
１      型枠パネル
２      セパレータ
３      コンクリート養生保持板
４      コンクリート構築物
５      発泡スチロール
６      下地板
７      残置式型枠壁材
８      セパレータ挿通穴
【図１】
2005113372.tif 000003
【図２】
2005113372.tif 000004
【図３】
2005113372.tif 000005
【図４】
2005113372.tif 000006
【図５】
2005113372.tif 000007
【図６】
2005113372.tif 000008
【図７】
2005113372.tif 000009
【図８】
2005113372.tif 000010
【図９】
2005113372.tif 000011